(57)【要約】【課題】    本発明の目的は、簡易且つ迅速に取り付けることができるように使用勝手を向上させたピンフックを提供するものである。【解決手段】    ピンフック１は、ピンＰと、このピンＰを保持し、頂部に蓋部２１を有するピン保持体２０と、フック部１１を有する本体１０とを備え、この本体１０には、ピン保持体２０を摺動自在に案内するピン保持体案内部１２と、ピンＰを案内するピン案内通路１３とを有しているものである。【選択図】図１０
2015002833.tif 000002
【特許請求の範囲】
【請求項１】
ピンと、
このピンを保持し、頂部に蓋部を有するピン保持体と、
フック部を有する本体とを備え、
この本体には、前記ピン保持体を摺動自在に案内するピン保持体案内部と、前記ピンを案内するピン案内通路とを有している
ことを特徴とするピンフック。
【請求項２】
複数のピンと、
この複数のピンを保持し、頂部に蓋部を有するピン保持体と、
フック部を有する本体とを備え、
この本体は、前記ピン保持体を摺動自在に案内するピン保持体案内部と、前記複数のピンをそれぞれ案内する複数のピン案内通路とを有し、
前記複数のピン案内通路は、互いに平行である
ことを特徴とするピンフック。
【請求項３】
ピン保持体と本体との間に、前記ピン保持体の摺動を阻止する移動規制部材を設けた
ことを特徴とする請求項１又は請求項２記載のピンフック。
【発明の詳細な説明】
【技術分野】
【０００１】
本発明は、ピンフックに係り、特に、簡易且つ迅速に取り付けることができるように使用勝手を向上させたピンフックに関する。
【背景技術】
【０００２】
従来、例えば、フック部を備えた基部と、上記基部に対して取り外し自在のカバー部とを有したピンフックがある（例えば、特許文献１参照）。
上記カバー部には、その周縁に沿って枠部が立設されていると共に、上記枕部には内側に張り出したフランジ部が対向して形成されており、上記枠部の外面にはピンの頭部を受け入れてピンを押圧できる凹陥部を形成している。
ピンを取り付ける場合、基部から上記カバー部を取り外し、取り外した上記カバー部の凹陥部にピンの頭部を受け入れてピンを取り付けている。
【先行技術文献】
【特許文献】
【０００３】
【特許文献１】特許第３８４９２４３号公報
【発明の概要】
【発明が解決しようとする課題】
【０００４】
ところが、上記ピンフックーにあっては、ピンを取り付けた後、カバー部を基部に一々取り付けねばならず、使用勝手が良好でないという問題点が生じた。
【０００５】
本発明は、前記問題点を考慮したなされたピンフックを提供することを目的とする。
【課題を解決するための手段】
【０００６】
請求項１記載のピンフックは、ピンと、このピンを保持し、頂部に蓋部を有するピン保持体と、フック部を有する本体とを備え、この本体には、前記ピン保持体を摺動自在に案内するピン保持体案内部と、前記ピンを案内するピン案内通路とを有しているものである。
【０００７】
また、請求項２記載のピンフックは、複数のピンと、この複数のピンを保持し、頂部に蓋部を有するピン保持体と、フック部を有する本体とを備え、この本体は、前記ピン保持体を摺動自在に案内するピン保持体案内部と、前記複数のピンをそれぞれ案内する複数のピン案内通路とを有し、 前記複数のピン案内通路は、互いに平行である。
【０００８】
また、請求項３記載のピンフックは、請求項１又は請求項２記載のピンフックにおいて、ピン保持体と本体との間に、前記ピン保持体の摺動を阻止する移動規制部材を設けたものである。
【発明の効果】
【０００９】
請求項１記載のピンフックによれば、取り付け部位、例えば、壁にピンを刺し、刺したピンの頂部の蓋部を手で押し込めれば、ピン保持体はピン保持体案内通路に沿って案内され、ピンはピン案内通路に沿って案内され、つまり、２点支持によってピンが曲がるのを防ぎつつ案内され、ピンを介してピンフックを取り付ける部位に簡易且つ迅速に取り付けることができる。
【００１０】
また、請求項２記載のピンフックによれば、取り付け部位、例えば、壁に複数のピンを刺し、刺した複数のピンの頂部の蓋部を手で押し込めれば、複数のピンは互いに平行なピン案内通路に沿って案内され、つまり、複数のピンが曲がるのを防ぎつつ案内され、複数のピンを介してピンフックを取り付ける部位に簡易且つ迅速に取り付けることができ、しかも、複数のピンで荷重を支えるため、太い１個のピンで支えるものに比べ、ピンの径を小さくできるため、取り付け部位のピンの刺し跡を小さくして、ピンフックを取り外した場合、ピンの刺し跡が目立ちにくい等の効果を有する。
【００１１】
ピンの移動を自由にしておくと、ピンが、例えば、最大に飛び出した状態で、放置されていると、飛び出したピンによって手等が損傷したり、ピンが他のものと接触してピンが曲がる等の変形を来す不具合を生じる。
この不具合を防ぐために、請求項３記載のピンフックにあっては、ピン保持体と本体との間に移動阻止部材を設けて対応することができる。
【図面の簡単な説明】
【００１２】
【図１】図１は、本発明の一実施例のピンフックの概略的側面図である。
【図２】図２は、図１の２−２線による概略的断面図である。
【図３】図３は、図１のピンフックから移動阻止部材を取り外した状態の概略的一部断面図である。
【図４】図４（ａ）は、図１のピンフックを構成する本体の概略的側面図であり、図４（ｂ）は、図４（ａ）の矢印Ａ方向から見た概略的図であり、図４（ｃ）は、図４（ｂ）の４−４線による概略的断面図である。
【図５】図５は、図１のピンフックを構成するピン保持体を展開して示す概略的展開図である。
【図６】図６は、図５のピン保持体の概略的側面図である。
【図７】図７は、図６の７−７線による概略的断面図である。
【図８】図８は、図６の８−８線による概略的断面図である。
【図９】図９は、図７の展開した状態のピン保持体を折り曲げた状態の概略的図である。
【図１０】図１０（ａ）は、図１のピンフックを取り付け部位に仮止めした状態の概略的図であり、図１０（ｂ）は、図１０（ａ）のピン保持体を矢印方向に作用させ、図１のピンフックを取り付け部位に取り付けた状態の概略的図である。
【発明を実施するための形態】
【００１３】
本発明の一実施例のピンフックを図面（図１乃至図１０）を参照して説明する。
図１、図１０に示す１は、取り付け部位Ｗ（図１０参照）、例えば、壁にピンＰを刺して取り付けられるピンフックで、
ピンフック１は、複数のピンＰ、Ｐと、この複数のピンＰ、Ｐを保持し、頂部に蓋部２１を有する樹脂製のピン保持体２０と、フック部１１を有する樹脂製の本体１０とを備えている。
【００１４】
本体１０は、図４に示すように、ピン保持体２０（図３参照）を摺動自在に案内するピン保持体案内部１２と、複数のピンＰ、Ｐ（図５参照）をそれぞれ案内する複数のピン案内通路１３、１３とを有し、複数のピン案内通路１３、１３は、互いに平行となっている[図４（ｃ）参照]。
ピン保持体２０は、図５に示される状態で成形され、展開状態のピン保持体２０に複数のピンＰ、Ｐを所定の位置（例えば、図７参照）に置いた後、複数のピンＰ、Ｐを覆うように、展開状態のピン保持体２０を折り曲げて形成する（図６乃至図９参照）。
【００１５】
ピン保持体２０と本体１０との間には、図１、図３に示すように、ピン保持体２０の移動を阻止する移動阻止部材（例えば、ストッパー体）３０が設けられている。
この移動規制部材３０は、ピンフック１を取り付け部位Ｗに取り付ける前、例えば、
複数のピンＰ、Ｐの移動を自由にしておくと、ピンＰ、Ｐが、例えば、最大に飛び出した状態で、放置されていると、飛び出したピンＰ、Ｐによって手等が損傷したり、ピンＰ、Ｐが他のものと接触してピンＰ、Ｐが曲がる等の変形を来す不具合を生じる。
この不具合を防ぐために、ピン保持体２０と本体１０との間に、移動阻止部材３０を設けている。
【００１６】
また、本実施例では、ピン保持体２０と本体１０との間に、移動阻止部材３０を設けて、ピンＰ、Ｐの先端が僅かに突設させている。
これは、ピンフック１を取り付け部位Ｗへの位置決めと仮止めを容易にさせるためである。
なお、図示しないが、移動阻止部材３０の高さを長くして、ピン保持体２０と本体１０との間に、高さを長くした移動阻止部材３０を設けて、本体１０の裏面からのピンＰ、Ｐの飛び出しがないように、ピンＰ、Ｐの先端を本体１０内に埋没させるようにしても良い。
【００１７】
従って、上述したピンフック１によれば、図１、図２記載のピンフック１から、移動規制部材３０を取り外し、取り付け部位（例えば、壁）Ｗに複数のピンＰ、Ｐを刺し[図１０（ａ）参照]、刺した複数のピンＰ、Ｐの頂部の蓋部２１を手で押し込めれば、複数のピンＰ、Ｐは互いに平行なピン案内通路に沿って案内され、つまり、複数のピンＰ、Ｐが曲がるのを防ぎつつ案内され、複数のピンＰ、Ｐを介してピンフック１を取り付ける部位（例えば、壁）Ｗに簡易且つ迅速に取り付けることができ[図１０（ｂ）参照]、しかも、複数のピンＰ、Ｐで荷重を支えるため、太い１個のピン（例えば、ピンの直径１．２mm）で支えるものに比べ、ピンの径を小さく（例えば、ピンの直径０．６mm）できるため、取り付け部位（例えば、壁）ＷへのピンＰ、Ｐの刺し跡を小さくして、ピンフック１を取り外した場合、ピンＰ、Ｐの刺し跡が目立ちにくい効果等を有するものである。
【００１８】
上述した図１乃至図１０記載のピンフック１のピンＰ、Ｐは、複数であったが、本願発明のピンフック１にあっては、これに限らず、ピンフック１のピンＰは、単数でも良い（図示せず）。
この場合のピンフック１は、上述の実施例と同様に、ピンＰと、このピンＰを保持し、頂部に蓋部２１を有するピン保持体２０と、フック部１１を有する本体１０とを備え、この本体１０には、ピン保持体２０を摺動自在に案内するピン保持体案内部１２と、ピンＰを案内するピン案内通路１３とを有するものである。
【００１９】
従って、単数のピンＰを有するピンフック１にあっても、取り付け部位（例えば、壁）ＷにピンＰを刺し、刺したピンＰの頂部の蓋部２１を手で押し込めれば、ピンＰはピン案内通路１３に沿って案内され、つまり、ピンＰが曲がるのを防ぎつつ案内され、ピンＰを介してピンフック１を取り付ける部位（例えば、壁）Ｗに簡易且つ迅速に取り付けることができるものである。
なお、ピンフック１は、ピンＰと、このピンＰを保持し、頂部に２１を有する２０と、フック部１１を有する本体１０とを備え、この本体１０には、ピン保持体２０を摺動自在に案内すると、ピンＰを案内するとを有しているものである。
【符号の説明】
【００２０】
１      ピンフック
１０    本体
１１    フック部
１２    ピン保持体案内部
１３    ピン案内通路
２０    ピン保持体
２１    蓋部
【図１】
2015002833.tif 000003
【図２】
2015002833.tif 000004
【図３】
2015002833.tif 000005
【図４】
2015002833.tif 000006
【図５】
2015002833.tif 000007
【図６】
2015002833.tif 000008
【図７】
2015002833.tif 000009
【図８】
2015002833.tif 000010
【図９】
2015002833.tif 000011
【図１０】
2015002833.tif 000012